(57)【要約】【課題】取り付け時の施工作業性が良好で、かつ、取り付け信頼性に優れた屋根材および該屋根材を並べて形成される屋根構造体の提供を目的とする。【解決手段】無機多孔質材料により形成される保水性を備えた屋根材１であって、  一端縁部を膨隆させて形成され、クリップ状の固定具２の脚片３に設けられる顎部３ａが係合可能なクリップ係合段部４を有して屋根材１を構成する。  また、上記屋根材１の複数を羽重ねに並べてクリップ係合段部４を隣接する他の屋根材により覆って屋根構造体７を構成する。【選択図】  図３
2006169737.tif 000002
【特許請求の範囲】
【請求項１】
無機多孔質材料により形成される保水性を備えた屋根材であって、
一端縁部を膨隆させて形成され、クリップ状の固定具の脚片に形成される顎部が係合可能なクリップ係合段部を有する屋根材。
【請求項２】
前記クリップ係合段部は上端縁部を表面側に膨隆させて形成される請求項１記載の屋根材。
【請求項３】
少なくとも沸石を混合してなるセラミックス焼結体により形成される請求項１または２記載の屋根材。
【請求項４】
表面側に凹状の通水部が形成される請求項１ないし３のいずれかに記載の屋根材。
【請求項５】
背面および側面に釉薬が施されて防水処理がなされる請求項１ないし４のいずれかに記載の屋根材。
【請求項６】
請求項１ないし５のいずれかに記載の屋根材の複数を羽重ねに並べてクリップ係合段部を隣接する他の屋根材により覆って形成される屋根構造体。
【発明の詳細な説明】
【技術分野】
【０００１】
本発明は屋根材および該屋根材を並べて形成される屋根構造体に関するものである。
【背景技術】
【０００２】
従来、歩道や広場などの景観舗装材として、多孔質のタイルやインターロッキングブロックなどの保水性舗装材が広く使用されている。一般のレンガや素焼き瓦なども厳密には多孔質であり、保水しないとは言えないが、上記保水性舗装材はレンガ等に比べてやや大きな孔径や空隙率を備えることにより比較的水分を多量に取り込みやすくされ、保水の実効性が格段向上することによって気化熱による過熱防止、ヒートアイランド現象の緩和などの効果を期待されるものである。
【０００３】
そして、近年、上述した保水性舗装材を屋根材に転用させたようなものとして、特許文献１に記載されたものが知られている。この従来例において、屋根材は、透水性タイルにより方形の板状に形成され、母屋の上に敷設された防水材の上に取り付けられる受材に対して裏面を接着するようにして屋根に固定される。また、上記特許文献１には、上述した屋根材の変形として、屋根材の上下方向中間部、すなわち方形の上下辺間のほぼ中央部から裏面側に突出して下辺側に折れ曲がるＬ字形状の係止部を設けることが提案されている。この変形例からなる第２の従来例においては、予め垂木に対して開口を備えた断面コ字形状の受材が固定され、屋根材は、受材の屋根面に沿って斜め上方に開放する開口に対して係止部を係止させることにより屋根に固定される。
【０００４】
さらに、上記第２の従来例における係止部に代えて、特許文献２には、屋根材の上下両端面に全幅に渡って係止溝を設けることが提案されている。この第３の従来例において、屋根下地面には、ばね弾性を有する屈曲部を備えた固定具の対が上下方向に固定され、屋根材は、上下辺の係止溝を屈曲部に係止させることにより屋根下地面に固定される。屋根材の屋根下地面への固定は、先ず、水下側、すなわち屋根材下辺側に対応する一方の固定具を屋根下地面にビスで固定した後、これに屋根材の下辺側の係止溝を係止させ、次いで、この屋根材の上辺側の係止溝に他方の固定具を係止させた後、該他方の係止具を屋根下地面にビスで固定することによってなされる。
【特許文献１】特開平１０-１９６０６１号公報
【特許文献２】特開２００２-３３２７１７号公報
【発明の開示】
【発明が解決しようとする課題】
【０００５】
しかしながら、以上の従来例においては、屋根下地への取り付け作業性が悪いという欠点がある。すなわち、上記第１の従来例のように接着による場合には、接着剤等の乾燥時間が必要であるために実質的に取り付けることができるまでに長時間がかかってしまう。また、屋根材に水を積極的に浸透させることから接着剤には高い接着強度や耐水性が要求される一方で、例えば将来のメンテナンス等を考慮して比較的取り外しやすく接着したり、あるいは接着剤の屋根材孔内への侵入によって保水性をあまり低下させないように接着したりすることは非常に困難である。
【０００６】
また、上記第２の従来例のように裏面中央に係止片を形成した場合、取り付けの際には受材の直上で屋根材をスライド移動させることになるが、この際、係止片や受材が屋根材に遮られて目視が困難な位置になってしまうために、係止を確実に行うことが難しい。
【０００７】
さらに、上記第３の従来例のように上下端に固定具をそれぞれ係止させるようにすると、工数が多くなってしまうとともに、一方の係止具によって既に拘束されている屋根材に対して他方の係止具を係止させなければならない上に、この係止状態を維持したまま上記他方の係止具を屋根下地にビス止めしなければならない。
【０００８】
また、上述した保水性舗装材等の保水性を備えた無機多孔質材は、孔径をより大きくしたり空隙率をより高めたりするために一般のレンガなどよりも成形圧を低くするなどして製造され、密度が低いことから、乾燥時や焼成時の収縮によって変形、ひび割れが生じやすい。さらに、曲げ強さなどの強度も比較的低い。したがって、上記第２の従来例における係止部や第３の従来例における溝のようにやや複雑な形状や厚さの薄い部分をつくってしまうと、製造時の歩留まりが悪化しやすい上に、屋根下地への取り付け信頼性が低くなってしまう。
【０００９】
本発明は、以上の欠点を解消すべくなされたものであって、取り付け時の施工作業性が良好で、かつ、取り付け信頼性に優れた屋根材および該屋根材を並べて形成される屋根構造体の提供を目的とする。
【課題を解決するための手段】
【００１０】
本発明によれば上記目的は、
無機多孔質材料により形成される保水性を備えた屋根材１であって、
一端縁部を膨隆させて形成され、クリップ状の固定具２の脚片３に設けられる顎部３ａが係合可能なクリップ係合段部４を有する屋根材１を提供することにより達成される。
【００１１】
本発明によれば、屋根材１は、一端縁部を膨隆させて形成されるクリップ係合段部４を有し、脚片３に顎部３ａが形成されたクリップ状の固定具２によって屋根下地に対して取り付けやすいように形成される。屋根材１と固定具２との連結は、クリップ状をなす一対の脚片３、３’によってクリップ係合段部４を挟み付けることによってなされ、上記脚片３に形成された顎部３ａをクリップ係合段部４に係合させることにより抜け止めされる。したがって、屋根下地への固定は、予め屋根下地に適宜固定された固定具２に対して屋根材１の一端縁部を差し込むだけでよく、顎部３ａにクリップ係合段部４を係合させることによってワンタッチで簡単に行うことができる。
【００１２】
また、クリップ係合段部４が一端縁部を膨隆させて形成されることにより、無機多孔質材料によって保水性を備えて形成される屋根材１の生産性や取り付け信頼性を高めることができる。すなわち、クリップ係合段部４が屋根材１の一端縁部を単に太く、厚くすることによって作り出すことが可能な形状であるために、成形性があまり良くない保水性に優れた無機多孔質材料であっても比較的製造しやすく、また、太くなることでクリップ係合段部４の強度が高められ、固定具２との連結強度が向上する。
【００１３】
なお、上記クリップ係合段部４は、必ずしも形成される屋根材１の一辺の全長に渡って連続して形成する必要はなく、固定具２の顎部３ａに対応する領域に連結強度を考慮して適宜形成すれば足りる。固定具２も同様で、必ずしも屋根材１の一辺の全長に対応する幅を備える必要はないが、例えば屋根材１のクリップ係合段部４が形成される辺に均等間隔で複数の固定具２、２・・・を並べるなどして辺の長さを有効に利用して支持荷重を分散できるようにすることが望ましい。また、連結部位としてのクリップ係合段部４が上述したように屋根材１の一端縁部、すなわち局部に設けられるために、局部的に屋根材１の空隙率を変えるなどして固定具２との連結強度を高めることも可能である。
【００１４】
さらに、上記クリップ係合段部４を屋根材１の上端縁部、すなわち屋根に取り付けた際に棟寄りとなる辺縁部に配置した場合には、屋根材１を軒棟方向に羽重ねに並べやすく、軒棟方向に隣接する屋根材１の隙間からの浸水を屋根材１の配列方法によって効果的に防止することができる。この場合において、上記クリップ係合段部４を屋根材１の表面側に形成すれば、上端縁部を中心に屋根材１がやや上方に垂直回転した姿勢であっても固定具２の顎部３ａに係合することが可能で、また係合状態を維持できるために、屋根材１の取り付け作業性をより向上できるとともに、例えば台風等によって屋根材１に浮き上がり方向の力が働いた場合にも屋根材１の脱落を防止することができる。
【００１５】
以上の屋根材１は、上述したように多孔質のアスファルトやポーラスコンクリート、多孔質の陶器質材料等の無機多孔質材料によって保水性を発揮するように形成されるが、この無機多孔質材料として少なくとも沸石（ゼオライト）を混合してなるセラミックス焼結体を使用した場合には、さらに優れた保水機能を発揮することができる。すなわち、沸石は、ＳｉＯ２およびＡｌＯ４の四面体が頂点共用で三次元方向に無限に連なり、その隙間に分子レベルの細孔を備える結晶構造を備え、かかるゼオライト構造によれば、上記メソサイズの細孔に水を保持、吸蔵することによって吸水性、保水性を発揮することができる。したがって、原料粒子単位での空隙のみならず結晶単位においても発揮される保水、吸水作用により、全体の保水性能をより向上させることができる。
【００１６】
なお、上記ゼオライト構造は結晶構造上脆い性質があるが、上述したようにクリップ係合段部４を設けることにより屋根材１の屋根下地への取り付け信頼性を確保することができる。また、沸石のセラミックス焼結体における混合量は保水性能や屋根材１の強度等を考慮して適宜決定可能であり、例えば２０％から７０％までの範囲内であることが望ましい。さらに、上記メソサイズの細孔とは、ミクロとマクロとの中間にある寸法を有する細孔で、より具体的には２〜５０ｎｍの平均直径を有するボイドを意味する。
【００１７】
また、上記ゼオライト構造をなすメソ多孔質体を含め、無機多孔質体の孔径が小さくなる場合には吸水、保水速度が遅くなることが予測されるが、屋根材１に通水部５を設けた場合には、吸水するまで一時的に貯水状態にしたり、吸水を促したりすることが可能となる。通水部５は屋根材１への形成のしやすさを考慮すると表面側に凹状に設けることが望ましい。また、屋根への敷設において一般に屋根材１の複数を横方向に同じ高さに並べることを考慮すれば、通水部５は屋根材１の対向側辺間に連続して貫通状に形成することが望ましく、横方向に隣接する他の屋根材１の他の通水部５に連通させることにより給水効率を高めることができる。
【００１８】
さらに、屋根材１の保水性と同時に屋根下地に対する防水性を高めることは雨漏り等を防ぐために有用であり、屋根材１の背面および側面に釉薬６を施して防水処理をした場合には、上記防水性と同時に屋根材１を器として機能させて保水性を向上させることができる。
【００１９】
加えて、上述したように屋根材１を羽重ねに並べて屋根をなす屋根構造体７を形成する場合において、上段の屋根材１によって下段の屋根材１のクリップ係合段部４や固定具２、通水部５を覆うようにすることにより、外観を良好にすることができる。この場合において、屋根材１の下端縁部に下段に配置される屋根材１に係止可能な引掛け部を設けた場合には、屋根材１、１間のずれを防止することができる。
【発明の効果】
【００２０】
以上の説明から明らかなように、本発明によれば、取り付け時の施工作業性が良好で、かつ、取り付け信頼性に優れた屋根材および該屋根材を並べて形成される屋根構造体を提供することができるために、保水性屋根材の実用化によるヒートアイランド現象の緩和に役立つことができる。
【発明を実施するための最良の形態】
【００２１】
図１ないし図６に本発明の実施の形態を示す。この実施の形態において、屋根冷却システムは、図１に示すように、雨水１１を貯留する貯水手段１２と、この貯水手段１２の雨水１１を屋根をなす屋根構造体７に供給する給水手段１３とを有し、直射日光によって加熱される屋根構造体７に対して予め蓄えておいた雨水１１を供給して熱を吸収させ、屋根構造体７を冷却する。
【００２２】
貯水手段１２は、濾過槽１４と貯水槽１５とを有し、雨天時に家屋１６の側溝１７を流れる雨水１１を濾過槽１４を経由して貯水槽１５に導き、貯留する。濾過槽１４には雨水１１に含まれる塵や埃を取り除く図示しないフィルター等が設けられ、後述するように多孔質材料により形成される屋根構造体７の目詰まりが防止される。貯水槽１５は、晴天が続いた場合を考慮して例えば夏期における３日分程度の屋根構造体７の冷却に必要な水量を蓄えられるだけの容量を備えて形成され、当該容量を超えた分は排水口１８を通じて図外の下水道等に排出される。なお、図１において点線で示される１９は消波のためのフェンスである。
【００２３】
給水手段１３は、上記貯水槽１５から屋根構造体７へと配管される送水管２０と、この送水管２０の経路上に設けられるポンプ２１とを有する。図１に示すように、貯水槽１５のフェンス１９内には送水管２０の一端が挿入され、ポンプ２１によって汲み上げられた雨水１１は送水管２０の他端側である屋根構造体７へと運ばれる。また、給水手段１３には屋根構造体７に供給する水量を調整するための制御部２２が設けられる。
【００２４】
制御部２２は、図１に示すように、上記ポンプ２１の駆動操作が可能な操作部２３と、屋根構造体７の温度や保水量等を検知するセンサ２４とを有し、センサ２４によって屋根構造体７が高温状態であるなど給水が必要な状態が検知されると、室内に配置された操作部２３からブザー等の適宜の給水要求が発せられる。したがって家屋１６の居住者は、この給水要求に応じて操作部２３を操作してポンプ２１を駆動することにより、適切なタイミングで貯水槽１５内の雨水１１を屋根構造体７へと供給することができる。
【００２５】
給水手段１３から水の供給を受ける屋根構造体７は、屋根材１の複数を並べることにより形成される。各屋根材１は、図２に示すように、屋根構造体７の表面をなすほぼ平板状の平面部２５と、該平面部２５の上端を基端にして平面部２５からさらに上方に向かって張り出す張り出し部２６とを備え、軒棟方向に羽重ねにして複数並べられることにより上段の屋根材１の平面部２５が下段の屋根材１の張り出し部２６の上に重ねられて支えられる。また、上記張り出し部２６が平面部２５からやや屋根材１表面側に膨隆して形成されるとともに、平面部２５の下端縁から屋根材１背面側に隆起する引掛け部２７が設けられることにより、下段の屋根材１の張り出し部２６の基端に上段の屋根材１の引掛け部２７が係止され、軒棟方向に隣接する屋根材１、１同士が連結される。
【００２６】
さらに、図２に示すように、平面部２５の両側縁には屋根材１の厚み方向に互い違いな相じゃくり部２８が形成され、横方向に隣接して並べられる屋根材１、１同士についてもほぼ隙間なく連結される。なお、この実施の形態において屋根構造体７は複数の屋根材１、１・・・を千鳥状に並べることにより形成される（図４参照）。また、図２に示す２９は上段に配置される屋根材１との衝接時の衝撃を緩和するゴム等からなるクッション材であり、また、６は各屋根材１の背面および側面に施される釉薬である。
【００２７】
上記屋根構造体７、すなわち屋根材１は、特開平１０-２５１５３号公報に記載されるように、自動車や家電などの工場において塗装下地、防錆、潤滑に広く利用されているりん酸化成処理によって生じる化成処理スラッジの有効利用などを目的として、化成処理スラッジと沸石を主成分として製造される多孔質のセラミックス焼結体により形成される。上記沸石としては大谷石の加工工場等から生じる産業廃棄物である大谷石の破砕屑が使用され、また、このほかに焼結助剤としてガラス粉や粘土等が加えられる。
【００２８】
上記大谷石、すなわちゼオライト構造体は、可逆脱水されやすい水を弱く保持可能な三次元網目状で、軽量であり、圧縮強度は強いが曲げ強度はやや劣る。この大谷石を例えば０．５ｍｍ以下に粉砕して６０重量％、元来粒子の大きさが微細である乾燥した化成処理スラッジを１０重量％、その他磁気屑の粉体や粘土質材等を適宜調整混合し、水を加えて混練、成形、乾燥、施釉、焼成する。得られたセラミックス焼結体は、体積比で２０％の保水率を備え、また化成処理スラッジによって曲げ強度が向上される。
【００２９】
このようにして製造される屋根材１を野地板等の屋根下地３０に固定し、上述した屋根構造体７を形成するために、屋根下地３０にはクリップ（固定具２）が固定され、上述した各屋根材１の張り出し部２６にはクリップ２に係合するクリップ係合段部４が形成される。
【００３０】
クリップ２は、金属等の薄板を折り曲げて図３（ａ）に示すように断面がほぼ釣り針形状に形成され、平板状の一方の脚片３と、該一方の脚片３の一端から折り返すように延設され、弾性を備えた他方の脚片３’とを有する。また、上記他方の脚片３’は、上記一方の脚片３から漸次離れるように延設される立ち上がり部３１と、該立ち上がり部３１の先端部を折り曲げて形成される顎部３ａとを備え、該顎部３ａは、立ち上がり部３１の先端部を上記一方の脚片３に漸次近接するように折り曲げて形成される折り返し部３２と、該折り返し部３２の先端部を上記一方の脚片３に対して凸な円弧状に曲成して形成される円弧部３３とにより形成される。したがって図３（ｂ）に２点鎖線で示すように、主に上記立ち上がり部３１および折り返し部３２が弾性変形することによって、一方の脚片３と他方の脚片３’の円弧部３３下端点との間隙が拡大し、間に押し込まれる屋根材１の張り出し部２６を挟持する。なお、図３において３４はクリップ２を屋根下地３０に固定するネジ、３５はクリップ２に形成されるネジ穴である。
【００３１】
一方、上記クリップ係合段部４は、張り出し部２６の先端に形成される。張り出し部２６は、上述したように平面部２５の上端から屋根材１表面側に膨隆するとともに、該平面部２５からさらに上方に向かって張り出す、すなわち、図２に示すように、平面部２５からほぼ直角に立ち上がる立設部３６と、この立設部３６の先端から平面部２５とほぼ平行に張り出す支承部３７とを備えるほか、この支承部３７の先端から屋根材１背面側に向かって傾斜して形成される傾斜部３８と、該傾斜部３８の先端部を屋根材１表面側にやや折り曲げて形成される上述したクリップ係合段部４とを有する。このクリップ係合段部４は、上述したクリップ２の一方の脚片３と他方の脚片３’との間隙の形状にほぼ合致するように屋根材１表面側に膨隆して形成され、傾斜部３８との間に略Ｖ字状の溝（通水部５）を形成するとともに、先端がやや鋭角に形成される。
【００３２】
したがって、図３（ｂ）に矢印で示すように、クリップ２の一方の脚片３に背面を沿わせるようにして屋根材１を上端からクリップ２内に押し込むと、クリップ係合段部４の先端部と上記円弧部３３が衝接し、押し込み方向に対して傾斜面で当接することにより生じる分力によって上述したように他方の脚片３’が一方の脚片３から離れるように弾性変形し、この後さらに押し込むことでクリップ係合段部４の最高点が折り返し部３２を越えてクリップ２内に収められると、他方の脚片３’が弾性復帰して円弧部３３と上記溝５が係合し、クリップ２とクリップ係合段部４、すなわち屋根材１が連結される。
【００３３】
このとき、屋根材３の引掛け部２７は上述したように下段に配置される屋根材１の立設部３６に係止し、図３（ｂ）に示すように平面部２５が下段の屋根材１の溝５を上方から覆うように被さり、該溝５は上記平面部２５により直射日光を遮られた暗渠として機能する。また、クリップ２によって屋根下地３０に固定され、支持される屋根材１は、上端縁を膨隆させて強度補強されたクリップ係合段部４により支持荷重を負担するために、風等を受けた場合にクリップ２からの脱落を惹起するような破損が容易８に生じることはない。
【００３４】
このようにして屋根下地３０に固定される屋根構造体７に対して上述した送水管２０から雨水１１を効率的に供給するために、送水管２０の先端部には給水部４０が設けられる。給水部４０は、図５に示すように、長手方向ほぼ中央に送水管２０の貯水槽１５から引き出された直管部分の先端が連結されて屋根構造体７からなる屋根の棟に沿うように配置される横管４１と、該横管４１の両端から屋根の両側縁に沿って延設される縦管４２とを備え、二本の縦管４２、４２の間には屋根構造体７内部を横方向に貫通するように給水管４３が形成される。また、上記横管４１と縦管４２二本との容積の合計は屋根構造体７の保水量とほぼ同じ程度に設定される。なお、図５に示す４４は、給水部４０の水抜きのための排出管である。
【００３５】
給水管４３は、図３（ｂ）および図４に示すように、敷設経路上の各屋根材１の位置に対応して染み出すように水を吐出可能な程度の散水孔４５が穿設された断面がほぼ真円からなるホースであり、ゴム製等であって点滴潅漑法などに用いられる少量頻繁給水に適した長手方向に水圧の変化が少ないものが使用される。この給水管４３は屋根構造体７の傾斜に沿って複数本配置され、下方に行くに従って漸次内径の小さいものが用いられる。なお、給水管４３の外径は、少なくとも屋根材１の溝５の底と支承部３７の上面との段差よりも大きい程度の寸法に設定される。
【００３６】
上記給水管４３の屋根構造体７内部への敷設は、上述したクリップ２の円弧部３３の上に給水管４３を載せることによってなされる。図３（ｂ）および図６（ａ）に示すように、給水管４３は、屋根材１の溝５に嵌り込むようにして傾斜部３８とクリップ係合段部４の上に被さる円弧部３３および折り返し部３２に下面側を支えられ、また、給水管４３が載置された屋根材１に対して上段に配置される屋根材１の背面によって上面側がやや押圧されて屋根材１、１間の隙間、より詳細に言えば上段の屋根材１の平面部２５裏面と下段の屋根材１の溝５との間隙に配置される。なお、この状態で上述した散水孔４５は傾斜部３８側を向いて配置される。
【００３７】
したがって、以上の屋根構造体７の形成、屋根下地３０への取り付けは、先ず、屋根材１の取付ピッチに合わせて屋根下地３０にクリップ２をネジ止めし、次いで、上述したように屋根材１をクリップ２に連結させることにより行われ、この際、図４に示すように、羽重ねになるように屋根材１は軒から棟に向かって順に、また、相じゃくりになるように、上方に肉盗みされた相じゃくり部２８ａが形成された屋根材１の一側縁部の上に他の屋根材１の下方に肉盗みされた相じゃくり部２８ｂが形成された一側縁部を重ねるように、すなわち、この実施の形態においては図４に示すように屋根材１は向かって右から左へと順に並べられる。さらに、横方向に並ぶ屋根材１が全て並び終えると、上段に配置される屋根材１が重ねられる前に給水管４３が載置される。
【００３８】
なお、上述した横管４１や縦管４２は、上記屋根構造体７の構築とは別工程で屋根下地３０に対して適宜固定することが可能であるが、図５に示すように屋根構造体７に重なるように配置する場合には、屋根構造体７の背面側に横管４１等を収容するための図示しない収容凹部が形成され、屋根構造体７を構築する前に施工される。また、屋根構造体７の側端面や、屋根下地３０の側縁部と屋根構造体７との間の隙間は、適宜の封止材や上述した縦管４２等によりシール、閉塞される。
【００３９】
以上のようにして屋根冷却システムが形成されることにより、雨天時においては、複数の屋根材１、１・・・が上下方向に羽重ね、横方向に相じゃくりによって隙間なく並べられて屋根構造体７が形成され、また、各屋根材１の背面および側面への施釉によって屋根材１の当該面での防水性が高められることにより、雨水１１は、表面から釉薬６の層の手前まで屋根構造体７に浸透することはあっても、屋根材１、１の間から侵入することはなく、屋根下地３０まで届くことはない。また、この状態において、図１に示すように屋根構造体７の表面を流れる雨水１１は、側溝１７から濾過槽１４を経由して貯水槽１５に流れ込み、濾過されて貯留される。
【００４０】
一方、晴天時においては、直射日光によって屋根構造体７が加熱などされると、これを検知したセンサ２４によって操作部２３からブザーが発せられ、聞きつけた家屋１６居住者によって操作部２３が操作されて給水部４０を満たす程度の量だけ貯水槽１５等から雨水１１が横管４４へと適宜流し込まれる。雨水１１は図５に矢印で示すように縦管４２を経由して給水管４３内に流れ、散水孔４５から溝５へと染み出すように流れ込むが、このとき溝５は上述したように屋根構造体７が側端面において適宜閉塞される上に、この溝５が形成された屋根材１に対して上段に配置される屋根材１の施釉された底面により天井面が形成され、かつ、ゴム等からなる給水管４３とクッション材３０によって前後方向にも閉塞された状態にある。したがって図６に矢印で示すように、雨水１１は溝５が形成された屋根材１の表面、すなわち施釉されていない部位から多孔質の屋根材１に浸透する。
【００４１】
この浸透は、毛管現象、および、上述したようにほぼ密閉状態にある暗渠としての溝５によって形成される閉塞空間に対し、給水管４３と縦管４３や横管４４との間に屋根構造体７の傾斜により生じる水位差によって雨水１１が高圧力で注入されることによって、上記閉塞空間内が外気圧に比べて高圧になることで促進され、また、釉薬６により防水された背面および側面によって屋根材１が器として機能することで、順次溝５から屋根材１の下部側へと広がり、屋根材１全体に拡散する。さらに、上述したように溝５等により形成される閉塞空間が高圧になることにより、給水管５の散水孔４５からの溝１内への水の放出量が抑制され、散水孔４５から溝５内への水の吐出速度が屋根材１への水の浸透速度と相対的になるように適宜調整される。なお、この実施の形態においては、図３（ｂ）に示すように屋根下地３０が角度θで傾斜した状態で屋根材１の平面部２５がほぼ水平になるが、屋根下地３０自体を家屋１６に形成する角度によって平面部２５を屋根構造体７の傾斜に沿うように傾斜させることも可能で、この場合には屋根材１下部側への雨水１１の浸透をその自重によってより促進させることができる。
【００４２】
したがって、このようにして循環された雨水１１によって熱を吸収されるとともに、図６（ａ）に点線で示すように加熱された雨水１１が蒸発して気化熱が奪われることにより、加熱された屋根構造体７が冷却される。また、上述したように屋根構造体７が土壌と同程度の微細気孔の多孔質に形成されることで、雨水１１の蒸発がやや抑制されて極めて長時間に渡って気化熱冷却が持続し、屋根構造体７の長時間の温度上昇が防止される。
【００４３】
一方、雨水１１の流路である暗渠を形成する溝５や給水管４３等のメンテナンス時においては、屋根材１をクリップ２から取り外すだけで溝５の天井面を開放させることができ、給水管４３を露出させることができる。また、屋根材１のクリップ２からの離脱についても屋根材１を溝５を中心に上方に回転させた後、図３（ｂ）に示す矢印の逆方向に屋根材１を引っ張るだけでよい。したがって、上述した屋根構造体７の構築作業と同様に作業が極めて容易にできる。
【００４４】
なお、以上の実施の形態においては、雨水１１を濾過、循環させて屋根構造体７に浸透させる場合を示したが、例えば水道管を送水管２０に連結させて雨水１１に代えて水道水を用いたり、あるいは濾過槽１４を利用して生活廃水を浄水処理して用いることも可能である。また、屋根構造体７は、上述したような切妻屋根以外の屋根構造に対応した形に変形することも可能で、この場合、給水部４０の横管４１や縦杆４４は屋根構造の外形に合わせて適宜配置等を変更すればよい。さらに、上記屋根下地３０と屋根構造体７との間に適宜の防水シートを敷設して漏水の防止効果をより高めることも可能である。加えて、以上の実施の形態においては顎部３ａをクリップ２の一対の脚片３、３’の一方にのみ設ける場合を示したが、双方に設けることも可能である。
【図面の簡単な説明】
【００４５】
【図１】本発明を示す図で、全体の概略図である。
【図２】屋根材を示す図で、（ａ）は平面図、（ｂ）は側面図である。
【図３】クリップを説明する図で、（ａ）はクリップの側面図、（ｂ）はクリップによる屋根材の屋根下地への固定を説明する側面図である。
【図４】屋根材の屋根下地への固定を説明する平面図である。
【図５】給水部を示す斜視図である。
【図６】濾過水の屋根材への浸透や蒸発の状態を説明する図で、（ａ）は側面図、（ｂ）は平面図である。
【符号の説明】
【００４６】
１    屋根材
２    固定具
３    脚片
３ａ  顎部
４    クリップ係合段部
５    通水部
６    釉薬
７    屋根構造体
【図１】
2006169737.tif 000003
【図２】
2006169737.tif 000004
【図３】
2006169737.tif 000005
【図４】
2006169737.tif 000006
【図５】
2006169737.tif 000007
【図６】
2006169737.tif 000008